(57)【要約】      （修正有）【課題】直管楽器の演奏時、右手親指の負担を軽減すると共に、楽器の演奏への制約を少なくした直管楽器用ストラップを提供する。【解決手段】該ストラップの上部の首に掛かる部分は帯体１１で形成し、一方の端部に環状部１２を、他方の端部は折り返してバックル１３を介して帯体１１に取り付け、バックル１３の位置を移動させることによって帯体１１の長さを調整できるようにする。帯体１１の環状部１２と折り返し部には連結環１４、１５を介してゴム紐の外側に繊維層を設けた伸縮紐１６を取り付ける。該伸縮紐１６の端部を上記の連結環１４、１５に固定し、ストラップ１０の下端に伸縮紐１６の中間部１７が位置する。伸縮紐１６の中間部１７には開閉機構を備えた支持具１７を取り付け、その上部外側に束ね管２０を被せて支持具１７が移動するのを規制する。支持具１８にリング状の係止具１９を遊嵌させる。係止具は、Ｊ字やレ字状のフック、方形ないし矩形のリングなど、楽器の係止部に対応させた形態のものを適宜選択する。【選択図】図３
0003153387.tif 000002
【実用新案登録請求の範囲】
【請求項１】
楽器を首から吊るして演奏するために用いるストラップにおいて、左右下部の全部または一部を伸縮性を有する紐体で構成した吊り紐と直管楽器に設けた係止部に係止させる係止具とからなり、吊り紐の下端部で係止具を支持させるようにした直管楽器用ストラップ。
【請求項２】
吊り紐の下端部と係止具との間に係止具の着脱を容易にするための支持具を介在させた請求項１に記載の直管楽器用ストラップ。
【請求項３】
直管楽器に設けた係止部がサムレストである請求項１又は２に記載の直管楽器用ストラップ。
【請求項４】
吊り紐の長さの調節を可能とした請求項１、２又は３に記載の直管楽器用ストラップ。
【考案の詳細な説明】
【技術分野】
【０００１】
本考案は、楽器を首から吊して演奏するために用いるストラップに関するもので、ソプラノクラリネット、ソプラノサックス、オーボエなどの比較的軽量の直管楽器を演奏する際に使用される。
【背景技術】
【０００２】
直管楽器、例えばソプラノクラリネット１を演奏する場合には、楽器のサムレスト２（指掛け部）の下に右手親指を位置させて楽器を支え、マウスピース３を口にくわえて指を操作する（図１参照）。演奏中は、右手親指と操作する指とで楽器を把持するため、右手親指はで楽器の重量を直接受けることになる。そのため、この親指に掛かる負担が極めて大きくなり、多くの演奏家は親指のＣＭ関節を傷めて関節炎との闘いを余儀なくされることがある。
【０００３】
ストラップに楽器を吊るして演奏することによって、幾分指に掛かる重量を減少できることが知られている。演奏中に楽器を吊るすストラップとしては、特許文献１、２に開示されたものが現在でも盛用されている。
特許文献１に開示されたストラップは、サキソフォンなどの重い楽器を演奏する際に使用するものである。輪状にした首掛け部と直線状にした吊り下げ部との間に調節金具を取り付けて吊り紐本体の長さの調節を可能となし、外側を合成樹脂でコーティングしたフックを吊り下げ部に取り付ける構成となっている。
【０００４】
しかしながら、前記の直管楽器楽器の裏側には左手親指で操作するレジスターキィー５やホール６が形成されているから、このストラップに直管楽器を吊るして演奏しようとすると、操作中に左手親指の指先が直線状の吊り下げ部に接触し、あるいは引っかかる場合があって、演奏に支障をきたすことになる。
また、演奏中にはストラップの長さを変更できないから、首から楽器までの距離が固定化されてしまい、リズムやメロディーに合わせて楽器や体を動かすと、往々にしてストラップが楽器の移動に合わせて引っ張られることになる。その瞬間にストラップは衝撃を受けることになるから、楽器への把持力を瞬間的に大きくしなければならなくなる。この現象は、右手親指には急激な負荷を掛けると共に、操作中の指が硬直化させてしまうから、演奏自体にも支障をきたすことになる。
【０００５】
特許文献２に開示されたストラップでは、独立した二つの孔を有する調整具を用い、一方の孔に通した吊り紐を吊り金具の通孔に通した後、調整具の他方の孔に交差させて通す構成を採用している。
このストラップには、楽器を吊るしたままでも、調整具を昇降させることによって楽器の高さを調整できる利点がある。
しかしながら、このストラップに前記の直管楽器を吊るした時には調整具と吊り金具の間は直線状となり、楽器の操作中に左手親指が接触し或いは引っかかる問題は未解決のままであるし、首から楽器までの距離が固定化することに起因する親指への負担の軽減を期待することもできない。
【先行技術文献】
【特許文献】
【０００６】
【特許文献１】実公昭４９−１８０１８号公報
【特許文献２】実開昭５７−９０４９２号公報
【考案の概要】
【考案が解決しようとする課題】
【０００７】
本考案は、楽器を首から吊して演奏するために用いるストラップにおいて、右手親指の負担を軽減すると共に、楽器の演奏中の動作がストラップの長さに制約を受けないようにすることを課題としたものである。
【課題を解決するための手段】
【０００８】
この技術的課題を解決するための第一の技術的手段は、イ）左右下部の全部または一部を伸縮性を有する紐体で構成した吊り紐と、ロ）直管楽器に設けた係止部に係止させる係止具とからなり、ハ）吊り紐の下端部で係止具を支持させるようにしたこと、である。
第二の技術的手段は、上記ストラップにおいて、吊り紐の下端部と係止具との間に係止具の着脱を容易にするための支持具を介在させたことである。
また、第三の技術的手段は直管楽器の係止部をサムレストとしたことであり、第四の技術的手段はこれらの吊り紐の長さの調節を可能としたことである。
【０００９】
第一の技術的手段において、吊り紐は、その左右下端部で直管楽器に設けた係止部に係止させる係止具を支持しているから、このストラップの吊り紐はループ状となり、上下方向で直線状となる部分は存在しないことになる。
吊り紐の左右の下部は、その全部または一部が伸縮性を有する紐体で構成されているからストラップの長さに実質的な余裕が生れ、メロディーやリズムに合わせて体や楽器を動かす際に、紐体の伸縮を利用してストラップの当初の長さを越えて楽器を移動させることが可能となる。このとき、ストラップに張力が発生するが、紐体がこれを吸収するためストラップ自体が衝撃を受けることはない。
したがって、右手親指に過度の負担が生じることを防止することができ、楽器の演奏を円滑に行なうことができる。
【００１０】
吊り紐の両端側を構成する伸縮性を有する紐体は、細くて伸び縮みするものであればよく、ゴム紐を好適に使用できるが、柔軟性を有する袋体内に細いコイルバネを装入させたものであってもよい。
一般に、ソプラノクラリネットは約９００ｇ、ソプラノサックスは約１０００ｇ、オーボエは約８００ｇの重さの楽器である。伸縮性を有する紐体は、これらの楽器を吊るした状態で伸縮できるものでなければならず、吊るした状態から数cm〜１０cm程度の範囲で行なえるようにしておくことが望ましい。伸縮範囲が大きすぎると右手親指の負担を軽減できないし、小さすぎるとボディーアクションに対する追随性が失われ、演奏を阻害することになる。
【００１１】
第二の技術的手段では、上記のストラップにおいて、吊り紐の左右の下部と係止具との間に係止具の着脱を容易にするための支持具を介在させているから、楽器の係止部の形状に対応して係止具を選択し、これを容易に交換することができる。この場合、係止具を支持具に遊嵌させておくと、楽器を左右に振っても演奏に抵抗感や違和感がほとんど生じることはない。
【００１２】
係止具は楽器に取り付けた係止部に係止させるが、直管楽器に固定されているサムレストを係止部としてこれに係止させることができる。サムレストは、楽器ごとに重力バランスを考慮して取り付けられているため、最も望ましい取り付け位置と言える。
また、演奏者は、それぞれ身長や腕の長さが異なるし、演奏者が用いる各楽器の長さも相違するから、吊り紐自体の長さを調節できるようにしておくことによって、楽器を最適の位置（高さ）に吊るすことができる。
【考案の効果】
【００１３】
右手親指の負担が軽減される結果、演奏時間が長い曲であっても、最後まで楽器を支えて円滑な演奏を行なうことができる利点がある。また、楽器の演奏中の動作がストラップの長さに影響を受けないために、ストラップの長さを気にすることなくボディーアクションが行なえるため快適で自由な演奏を楽しむことができる。
なお、ストラップを伸縮させられるために、ストチップ自体の長さを厳密に計る必要はなく、アバウトな長さにしたまま演奏に臨める利点もある。
【図面の簡単な説明】
【００１４】
【図１】ソプラノクラリネットの正面図
【図２】ソプラノクラリネットの要部背面図
【図３】ストラップの斜視図
【考案を実施するための最良の形態】
【００１５】
図３は、本考案に係るストラップ１０を示したものである。
上部の首に掛かる部分は帯体１１で形成してあって、一方の端部に環状部１２を、他方の端部は折り返してバックル１３を介して帯体１１に取り付け、バックル１３の位置を移動させることによって帯体１１の長さを調整できるようにしている。
【００１６】
帯体１１の環状部１２と折り返し部には連結環１４、１５を介してゴム紐の外側に繊維層を設けた伸縮紐１６を取り付けている。
この実施例では、一本の伸縮紐１６の端部を上記の連結環１４、１５に固定し、ストラップ１０の下端に伸縮紐１６の中間部１７が位置することになる。伸縮紐１６の中間部１７には開閉機構を備えた支持具１７を取り付け、その上部外側に束ね管２０を被せて支持具１７が移動するのを規制している。
【００１７】
この実施例では、支持具１８にリング状の係止具１９を遊嵌させている。係止具は、Ｊ字やレ字状のフック、方形ないし矩形のリングなど、楽器の係止部に対応させた形態のものを適宜選択することになる。
勿論、支持具を介さずに、上記の選択された係止具を伸縮紐１６に直接取り付けるようにすることもできる。この場合にはストラップ１０を使用できる楽器が限定されることになる。
【００１８】
上記の実施例では一本の伸縮紐１６を用いているが、左右２本の伸縮紐を使用し、その上端部を連結環１４、１５に、下端部を支持具１８又は係止具１９に取り付けるようにしても良い。
この場合には、束ね環２０は用いなくてもよい。
【符号の説明】
【００１９】
１ソプラノクラリネット、  ２サムレスト、  ３マウスピース、  ５レジスターキー、  ６ホール、  １１ストラップ上部を構成する帯体、  １２帯体の環状部、  １３バックル、  １４、１５連結環、  １６ゴム製の伸縮紐、  １７伸縮紐の中間部、  １８支持具、  １９係止具、  ２０束ね環
【図１】
0003153387.tif 000003
【図２】
0003153387.tif 000004
【図３】
0003153387.tif 000005